【手続補正書】
【提出日】平成28年11月24日(2016.11.24)
【手続補正１】
【補正対象書類名】特許請求の範囲
【補正対象項目名】全文
【補正方法】変更
【補正の内容】
【特許請求の範囲】
【請求項１】
イオン化呼吸可能ガスの制御された供給を発生させる呼吸治療機器であって、
大気圧より上の圧力で呼吸可能ガス流を発生させ、患者呼吸インターフェースと接続されるようになっている流れ発生器と、
前記呼吸可能ガス流をあるイオン化レベルでイオン化するイオナイザと、
プロセッサを含み、前記イオナイザおよび前記流れ発生器に結合され、前記イオナイザを制御し、前記加圧された呼吸可能ガス流の前記イオン化レベルをプログラムに従って変化させて前記イオン化レベルを複数の異なるイオン化レベルに設定するよう構成されているコントローラと
を備える呼吸治療機器。
【請求項２】
前記コントローラは、ある期間にわたって前記イオン化レベルを減少させるように構成されている、請求項１に記載の機器。
【請求項３】
前記コントローラは、ある期間にわたって前記イオン化レベルを増加させるように構成されている、請求項１または２に記載の機器。
【請求項４】
前記コントローラは、ある期間にわたって前記イオン化レベルでパルスを流すようにさらに構成されている、請求項１から３のいずれか１項に記載の機器。
【請求項５】
前記コントローラは、覚醒期間の終了後に前記イオン化レベルを減少させるように構成されている、請求項１から４のいずれか１項に記載の機器。
【請求項６】
前記コントローラに結合されたセンサをさらに備え、前記センサは、生理的特徴を検出するように構成され、前記コントローラは、前記生理的特徴の前記検出に基づいて前記イオン化レベルを変化させるように構成されている、請求項１から５のいずれか１項に記載の機器。
【請求項７】
前記生理的特徴は、検出された睡眠を含む、請求項６に記載の機器。
【請求項８】
前記コントローラは、睡眠状態の前記検出に基づいて前記イオン化レベルを調整するように構成されている、請求項６に記載の機器。
【請求項９】
前記イオン化レベルは、深い睡眠状態および／または急速眼球運動（ＲＥＭ）睡眠状態の前記検出に基づいて減少させられる、請求項８に記載の機器。
【請求項１０】
前記生理的特徴は、検出された呼吸イベントを含む、請求項６に記載の機器。
【請求項１１】
前記検出された呼吸イベントは、検出された吸気サイクルを含む、請求項１０に記載の機器。
【請求項１２】
前記コントローラは、前記流れ発生器を制御し続けて前記呼吸可能ガス流を発生させつつ、前記イオナイザをオンオフするようにさらに構成されている、請求項１から１０のいずれか１項に記載の機器。
【請求項１３】
帯電した汚染物質を前記イオン化呼吸可能ガス流から引きつけるフィルタをさらに備える、請求項１から１２のいずれか１項に記載の機器。
【請求項１４】
前記フィルタは、エレクトレットフィルタである、請求項１３に記載の機器。
【請求項１５】
前記イオナイザは、前記流れ発生器の近傍に設置されており、前記機器は、二次的なイオナイザをさらに備え、前記二次的なイオナイザは、前記患者インターフェースの近傍に設置されており、
それにより、前記イオナイザは、前記呼吸可能ガスをクリーンにすることを促進することができ、前記二次的なイオナイザは、イオン化ガスの吸入を促進させることができる、請求項１から１３のいずれか１項に記載の機器。
【請求項１６】
加湿器をさらに備え、前記加湿器は、前記イオナイザのガス流れ出力とガス流れ連通しているガス流れ入力を有する、請求項１から１５のいずれか１項に記載の機器。
【請求項１７】
前記イオナイザは、イオン発生器のアレイを備え、前記コントローラは、前記アレイの様々な部分を選択的に起動させるように構成されている、請求項１から１６のいずれか１項に記載の機器。
【請求項１８】
前記プロセッサは、前記流れ発生器を制御して、プログラムに従って大気圧より上の前記圧力で前記呼吸可能ガス流を設定するように構成されている、請求項１から１７のいずれか１項に記載の機器。
【請求項１９】
前記コントローラは、目標換気を維持するように前記呼吸可能ガス流を制御する、請求項１８に記載の機器。
【請求項２０】
前記コントローラは、前記呼吸可能ガス流を制御して大気圧より上の前記圧力を設定し、それにより睡眠時呼吸障害のイベントを軽減する、請求項１８に記載の機器。
【請求項２１】
前記イオン化ガスのイオン化レベルを示す信号を生成するイオンセンサをさらに備え、前記コントローラは、前記イオンセンサからのイオン化の程度に基づいて前記イオン化レベルを変化させるように前記イオナイザを制御するように構成されている、請求項１から２０のいずれか１項に記載の機器。
【請求項２２】
前記流れ発生器と前記患者呼吸インターフェースの間で結合する送出導管をさらに備え、前記送出導管は、前記イオン化呼吸可能ガスを寄せ付けないように流面荷電状態を有する材料を有している、請求項１から２１のいずれか１項に記載の機器。
【請求項２３】
前記送出導管は、前記イオン化呼吸可能ガスを寄せ付けないように前記送出導管の荷電状態を設定する電荷要素をさらに備える、請求項２２に記載の機器。
【請求項２４】
イオン化呼吸可能ガスの制御された供給を発生させる呼吸治療機器の制御方法であって、該呼吸治療機器は、患者呼吸インターフェースに接続するのに適合され、該患者呼吸インターフェースに前記イオン化呼吸可能ガスを供給するものであり、コントローラにおいて、
前記呼吸治療機器の流れ発生器を用いて、前記患者呼吸インターフェースのために大気圧より上の圧力で呼吸可能ガス流を発生させる設定を制御するステップと、
イオナイザを用いてあるイオン化レベルで前記呼吸可能ガス流をイオン化する設定を制御するステップと、
プロセッサを用いて、複数の異なるイオン化レベルへ前記イオン化を設定するように前記呼吸可能ガス流の前記イオン化レベルの変化を制御するステップと
を含む制御方法。
【請求項２５】
前記イオン化レベルの前記変化は、ある期間にわたる前記イオン化レベルの減少である、請求項２４に記載の方法。
【請求項２６】
前記イオン化レベルの前記変化は、ある期間にわたる前記イオン化レベルの増加である、請求項２４または２５に記載の方法。
【請求項２７】
前記イオン化レベルの前記変化は、ある期間にわたって前記イオン化レベルでパルスを流すことを含む、請求項２４から２６のいずれか１項に記載の方法。
【請求項２８】
前記イオン化レベルの前記変化は、覚醒期間の終了後の前記イオン化レベルの減少を含む、請求項２４から２７のいずれか１項に記載の方法。
【請求項２９】
センサを用いて生理的特徴を検出するステップをさらに含み、前記イオン化レベルの前記変化は、前記生理的特徴の前記検出に基づいている、請求項２４から２８のいずれか１項に記載の方法。
【請求項３０】
前記生理的特徴は、検出された睡眠を含む、請求項２９に記載の方法。
【請求項３１】
前記イオン化レベルの前記変化は、睡眠状態の前記検出に基づいて前記イオン化レベルを調整するステップを含む、請求項２９に記載の方法。
【請求項３２】
前記イオン化レベルは、深い睡眠状態および／または急速眼球運動（ＲＥＭ）睡眠状態の前記検出に基づいて減少させられる、請求項３０に記載の方法。
【請求項３３】
前記生理的特徴は、検出された呼吸イベントを含む、請求項２９に記載の方法。
【請求項３４】
前記検出された呼吸イベントは、検出された吸気サイクルを含む、請求項３３に記載の方法。
【請求項３５】
前記流れ発生器を制御し続けて前記呼吸可能ガス流を発生させつつ、前記イオナイザをオンオフするステップをさらに含む、請求項２４から３４のいずれか１項に記載の方法。
【請求項３６】
帯電した汚染物質を前記イオン化呼吸可能ガス流から引きつけるように前記イオン化呼吸可能ガス流をフィルタを用いてフィルタ処理するステップをさらに含む、請求項２４から３５のいずれか１項に記載の方法。
【請求項３７】
前記フィルタは、エレクトレットフィルタである、請求項３６に記載の方法。
【請求項３８】
前記イオン化するステップは、前記流れ発生器の近傍で行われ、二次的なイオン化は、患者インターフェースの近傍で行われる、請求項２４から３７のいずれか１項に記載の方法。
【請求項３９】
前記イオン化呼吸可能ガスを加湿するステップをさらに含む、請求項２４から３８のいずれか１項に記載の方法。
【請求項４０】
前記イオナイザは、イオン発生器のアレイを備え、前記アレイの様々な部分を選択的に起動させる、請求項２４から３９のいずれか１項に記載の方法。
【請求項４１】
前記プロセッサは、前記流れ発生器を制御して、プログラムに従って大気圧より上の前記圧力で前記呼吸可能ガス流を設定する、請求項２４から４０のいずれか１項に記載の方法。
【請求項４２】
前記プロセッサは、目標換気を維持するように前記呼吸可能ガス流を制御する、請求項４１に記載の方法。
【請求項４３】
前記プロセッサは、前記呼吸可能ガス流を制御して大気圧より上の前記圧力を設定し、それにより睡眠時呼吸障害のイベントを軽減する、請求項４１に記載の方法。
【請求項４４】
イオンセンサを用いて前記イオン化ガスのイオン化レベルを示す信号を生成するステップと、前記プロセッサを用いて、前記イオンセンサからのイオン化の程度に基づいて前記イオン化レベルを変化させるように前記イオナイザを制御するステップとをさらに含む、請求項２４から４３のいずれか１項に記載の方法。
【請求項４５】
送出導管を用いて前記イオン化呼吸可能ガスをさらに寄せ付けないステップをさらに含み、前記送出導管は、前記流れ発生器と患者呼吸インターフェースの間で結合するようになされており、前記送出導管は、前記イオン化呼吸可能ガスを寄せ付けないように流面荷電状態を有する材料を有している、請求項２４から４４のいずれか１項に記載の方法。
【請求項４６】
電荷要素を用いて前記送出導管を帯電させるステップをさらに含み、前記電荷要素は、前記イオン化呼吸可能ガスを寄せ付けないように前記送出導管の荷電状態を設定する、請求項４５に記載の方法。 
【手続補正２】
【補正対象書類名】明細書
【補正対象項目名】０１０２
【補正方法】変更
【補正の内容】
【０１０２】
前述の説明および添付図面では、本技術の完全な理解を行うために、特定の専門用語、式、および図による記号が記載されている。いくつかの例では、専門用語および記号は、本技術を実施するのに必要とされない特定の詳細を示唆することができる。例えば、用語「第１の」および「第２の」が本明細書中に使用され得るが、特段の定めがない限り、この言い回しは、任意の特定の順序を与えるものではなく、本技術の別個の要素の説明を単に助けることを意図しているにすぎない。さらに、検出手法におけるプロセスステップがある順序で図示されているが、そのような順序は必要とされない。それら順序は変更することができ、および／またはその態様は、並行してまたは同期して行うことができることを当業者は理解されよう。また、本明細書中に記載の特徴は、独立して利用することができるが、その様々な組み合わせが、呼吸圧力治療機器においてなされてもよい。本技術の精神及び範囲から逸脱することなく、他の変形例がなされてもよい。
（請求項１）
イオン化呼吸可能ガスの制御された供給を発生させる呼吸治療機器であって、
大気圧より上の圧力で呼吸可能ガス流を発生させ、患者呼吸インターフェースと接続されるようになっている流れ発生器と、
前記呼吸可能ガス流をあるイオン化レベルでイオン化するイオナイザと、
プロセッサを含み、前記イオナイザおよび前記流れ発生器に結合され、前記イオナイザを制御し、前記加圧された呼吸可能ガス流の前記イオン化レベルをプログラムに従って変化させて前記イオン化レベルを複数の異なるイオン化レベルに設定するよう構成されているコントローラと
を備える呼吸治療機器。
（請求項２）
前記コントローラは、ある期間にわたって前記イオン化レベルを減少させるように構成されている、請求項１に記載の機器。
（請求項３）
前記コントローラは、ある期間にわたって前記イオン化レベルを増加させるように構成されている、請求項１または２に記載の機器。
（請求項４）
前記コントローラは、ある期間にわたって前記イオン化レベルでパルスを流すようにさらに構成されている、請求項１から３のいずれか１項に記載の機器。
（請求項５）
前記コントローラは、覚醒期間の終了後に前記イオン化レベルを減少させるように構成されている、請求項１から４のいずれか１項に記載の機器。
（請求項６）
前記コントローラに結合されたセンサをさらに備え、前記センサは、生理的特徴を検出するように構成され、前記コントローラは、前記生理的特徴の前記検出に基づいて前記イオン化レベルを変化させるように構成されている、請求項１から５のいずれか１項に記載の機器。
（請求項７）
前記生理的特徴は、検出された睡眠を含む、請求項６に記載の機器。
（請求項８）
前記コントローラは、睡眠状態の前記検出に基づいて前記イオン化レベルを調整するように構成されている、請求項６に記載の機器。
（請求項９）
前記イオン化レベルは、深い睡眠状態および／または急速眼球運動（ＲＥＭ）睡眠状態の前記検出に基づいて減少させられる、請求項８に記載の機器。
（請求項１０）
前記生理的特徴は、検出された呼吸イベントを含む、請求項６に記載の機器。
（請求項１１）
前記検出された呼吸イベントは、検出された吸気サイクルを含む、請求項１０に記載の機器。
（請求項１２）
前記コントローラは、前記流れ発生器を制御し続けて前記呼吸可能ガス流を発生させつつ、前記イオナイザをオンオフするようにさらに構成されている、請求項１から１０のいずれか１項に記載の機器。
（請求項１３）
帯電した汚染物質を前記イオン化呼吸可能ガス流から引きつけるフィルタをさらに備える、請求項１から１２のいずれか１項に記載の機器。
（請求項１４）
前記フィルタは、エレクトレットフィルタである、請求項１３に記載の機器。
（請求項１５）
前記イオナイザは、前記流れ発生器の近傍に設置されており、前記機器は、二次的なイオナイザをさらに備え、前記二次的なイオナイザは、前記患者インターフェースの近傍に設置されており、
それにより、前記イオナイザは、前記呼吸可能ガスをクリーンにすることを促進することができ、前記二次的なイオナイザは、イオン化ガスの吸入を促進させることができる、請求項１から１３のいずれか１項に記載の機器。
（請求項１６）
加湿器をさらに備え、前記加湿器は、前記イオナイザのガス流れ出力とガス流れ連通しているガス流れ入力を有する、請求項１から１５のいずれか１項に記載の機器。
（請求項１７）
前記イオナイザは、イオン発生器のアレイを備え、前記コントローラは、前記アレイの様々な部分を選択的に起動させるように構成されている、請求項１から１６のいずれか１項に記載の機器。
（請求項１８）
前記プロセッサは、前記流れ発生器を制御して、プログラムに従って大気圧より上の前記圧力で前記呼吸可能ガス流を設定するように構成されている、請求項１から１７のいずれか１項に記載の機器。
（請求項１９）
前記コントローラは、目標換気を維持するように前記呼吸可能ガス流を制御する、請求項１８に記載の機器。
（請求項２０）
前記コントローラは、前記呼吸可能ガス流を制御して大気圧より上の前記圧力を設定し、それにより睡眠時呼吸障害のイベントを軽減する、請求項１８に記載の機器。
（請求項２１）
前記イオン化ガスのイオン化レベルを示す信号を生成するイオンセンサをさらに備え、前記コントローラは、前記イオンセンサからのイオン化の程度に基づいて前記イオン化レベルを変化させるように前記イオナイザを制御するように構成されている、請求項１から２０のいずれか１項に記載の機器。
（請求項２２）
前記流れ発生器と前記患者呼吸インターフェースの間で結合する送出導管をさらに備え、前記送出導管は、前記イオン化呼吸可能ガスを寄せ付けないように流面荷電状態を有する材料を有している、請求項１から２１のいずれか１項に記載の機器。
（請求項２３）
前記送出導管は、前記イオン化呼吸可能ガスを寄せ付けないように前記送出導管の荷電状態を設定する電荷要素をさらに備える、請求項２２に記載の機器。
（請求項２４）
イオン化呼吸可能ガスの制御された供給を発生させる呼吸治療機器の制御方法であって、
流れ発生器を用いて大気圧より上の圧力で呼吸可能ガス流を発生させるステップと、
イオナイザを用いてあるイオン化レベルで前記呼吸可能ガス流をイオン化するステップと、
プロセッサを用いて、複数の異なるイオン化レベルへ前記イオン化を設定するように前記呼吸可能ガス流の前記イオン化レベルの変化を制御するステップと
を含む制御方法。
（請求項２５）
前記イオン化レベルの前記変化は、ある期間にわたる前記イオン化レベルの減少である、請求項２４に記載の方法。
（請求項２６）
前記イオン化レベルの前記変化は、ある期間にわたる前記イオン化レベルの増加である、請求項２４または２５に記載の方法。
（請求項２７）
前記イオン化レベルの前記変化は、ある期間にわたって前記イオン化レベルでパルスを流すことを含む、請求項２４から２６のいずれか１項に記載の方法。
（請求項２８）
前記イオン化レベルの前記変化は、覚醒期間の終了後の前記イオン化レベルの減少を含む、請求項２４から２７のいずれか１項に記載の方法。
（請求項２９）
センサを用いて生理的特徴を検出するステップをさらに含み、前記イオン化レベルの前記変化は、前記生理的特徴の前記検出に基づいている、請求項２４から２８のいずれか１項に記載の方法。
（請求項３０）
前記生理的特徴は、検出された睡眠を含む、請求項２９に記載の方法。
（請求項３１）
前記イオン化レベルの前記変化は、睡眠状態の前記検出に基づいて前記イオン化レベルを調整するステップを含む、請求項２９に記載の方法。
（請求項３２）
前記イオン化レベルは、深い睡眠状態および／または急速眼球運動（ＲＥＭ）睡眠状態の前記検出に基づいて減少させられる、請求項３０に記載の方法。
（請求項３３）
前記生理的特徴は、検出された呼吸イベントを含む、請求項２９に記載の方法。
（請求項３４）
前記検出された呼吸イベントは、検出された吸気サイクルを含む、請求項３３に記載の方法。
（請求項３５）
前記流れ発生器を制御し続けて前記呼吸可能ガス流を発生させつつ、前記イオナイザをオンオフするステップをさらに含む、請求項２４から３４のいずれか１項に記載の方法。
（請求項３６）
帯電した汚染物質を前記イオン化呼吸可能ガス流から引きつけるように前記イオン化呼吸可能ガス流をフィルタ処理するステップをさらに含む、請求項２４から３５のいずれか１項に記載の方法。
（請求項３７）
前記フィルタは、エレクトレットフィルタである、請求項３６に記載の方法。
（請求項３８）
前記イオン化するステップは、前記流れ発生器の近傍で行われ、二次的なイオン化は、
患者インターフェースの近傍で行われる、請求項２４から３７のいずれか１項に記載の方
法。
（請求項３９）
前記イオン化呼吸可能ガスを加湿するステップをさらに含む、請求項２４から３８のい
ずれか１項に記載の方法。
（請求項４０）
前記イオナイザは、イオン発生器のアレイを備え、前記アレイの様々な部分を選択的に
起動させる、請求項２４から３９のいずれか１項に記載の方法。
（請求項４１）
前記プロセッサは、前記流れ発生器を制御して、プログラムに従って大気圧より上の前
記圧力で前記呼吸可能ガス流を設定する、請求項２４から４０のいずれか１項に記載の方
法。
（請求項４２）
前記プロセッサは、目標換気を維持するように前記呼吸可能ガス流を制御する、請求項
４１に記載の方法。
（請求項４３）
前記プロセッサは、前記呼吸可能ガス流を制御して大気圧より上の前記圧力を設定し、それにより睡眠時呼吸障害のイベントを軽減する、請求項４１に記載の方法。
（請求項４４）
イオンセンサを用いて前記イオン化ガスのイオン化レベルを示す信号を生成するステップと、前記プロセッサを用いて、前記イオンセンサからのイオン化の程度に基づいて前記イオン化レベルを変化させるように前記イオナイザを制御するステップとをさらに含む、請求項２４から４３のいずれか１項に記載の方法。
（請求項４５）
送出導管を用いて前記イオン化呼吸可能ガスをさらに寄せ付けないステップをさらに含み、前記送出導管は、前記流れ発生器と患者呼吸インターフェースの間で結合するようになされており、前記送出導管は、前記イオン化呼吸可能ガスを寄せ付けないように流面荷電状態を有する材料を有している、請求項２４から４４のいずれか１項に記載の方法。
（請求項４６）
電荷要素を用いて前記送出導管を帯電させるステップをさらに含み、前記電荷要素は、前記イオン化呼吸可能ガスを寄せ付けないように前記送出導管の荷電状態を設定する、請求項４５に記載の方法。
（請求項４７）
呼吸可能ガスの制御された供給を発生させる呼吸器の固体状態の流れ発生器であって、
呼吸可能ガス流を推進させるように構成され、使用者呼吸インターフェースと結合するようになっている流れ経路と共に構成されているイオナイザのセットと、
前記イオナイザのセットと結合され、前記呼吸可能ガス流を推進させるように前記イオナイザを選択的に起動させるように構成されているコントローラと
を備える固体状態の流れ発生器。
（請求項４８）
前記イオナイザのセットは、前記流れ経路内に直列の構成で配置されており、前記コントローラは、前記呼吸可能ガス流の推進を増大させるようにますます多くの前記イオナイザを選択的に起動する、請求項４７に記載の流れ発生器。
（請求項４９）
前記イオナイザのセットは、イオナイザシートを備える、請求項４７または４８に記載の流れ発生器。
（請求項５０）
前記流れ経路は螺旋状であり、前記イオナイザのセットは、螺旋状の流れ経路に沿って配置される、請求項４７から４９のいずれか１項に記載の流れ発生器。
（請求項５１）
センサをさらに備えており、前記コントローラは、前記センサから生成された信号に基づいて前記イオナイザのセットのサブセットを起動させるように構成されている、請求項４７から５０のいずれか１項に記載の流れ発生器。
（請求項５２）
前記センサは流量センサであり、前記コントローラは、前記流量センサからの信号からの流れの程度に基づいて前記イオナイザのセットのサブセットを選択的に起動するように構成されている、請求項５１に記載の流れ発生器。
（請求項５３）
前記センサは圧力センサであり、前記コントローラは、前記圧力センサの信号からの圧力の程度に基づいて前記イオナイザのセットのサブセットを選択的に起動するように構成されている、請求項５１に記載の流れ発生器。
（請求項５４）
中和剤をさらに備え、前記中和剤は、前記流れ経路の前記推進させられた呼吸可能ガス流のイオンを除去するように構成されている、請求項４７から５３のいずれか１項に記載の流れ発生器。
（請求項５５）
前記イオナイザのセットは、複数の炭素繊維ブラシイオン発生器を備えている、請求項４７から５４のいずれか１項に記載の流れ発生器。
（請求項５６）
前記イオナイザのセットは、複数のハニカムセルイオン発生器を備えている、請求項４７から５５のいずれか１項に記載の流れ発生器。
（請求項５７）
前記流れ経路は、ディバイダを含む、請求項４７から５６のいずれか１項に記載の流れ発生器。
（請求項５８）
前記ディバイダは、２つ以上のチャネルを分け、各チャネルは、イオナイザのセットを含む、請求項５７に記載の流れ発生器。
（請求項５９）
前記チャネルは、吸気チャネルおよび呼気チャネルを含む、請求項５８に記載の流れ発生器。
（請求項６０）
前記ディバイダは、円筒形の送出チューブ内で螺旋状に配置されている、請求項５７から５９のいずれか１項に記載の流れ発生器。
（請求項６１）
前記ディバイダは、接地要素として構成されている、請求項５７から６０のいずれか１項に記載の流れ発生器。
（請求項６２）
前記ディバイダは、送出導管内で取り外し可能に結合するようになされている、請求項５７から６１のいずれか１項に記載の流れ発生器。